(57)【要約】【課題】  パーマ処理を行う場合には、被施術者はプロセスブースとシャンプーブースの間を行ったり来たりしなければならず、被施術者に不快な思いをさせたり、高齢者や足の悪い被施術者にとっては前記移動に苦痛を与えるといった問題があった。【解決手段】  洗髪装置本体１における洗髪ボール１２の開口部に対して開閉自在に取付けられた被施術者の頭部が挿入可能な開口部が形成されたフード１４と、前記洗髪ボールに設けられた過熱蒸気が供給される蒸気吐出口３６と、前記過熱蒸気を生成する過熱蒸気生成装置３とを具備した頭髪・頭皮処理機能付き洗髪装置である。【選択図】        図１
2005118388.tif 000002
【特許請求の範囲】
【請求項１】
洗髪装置本体における洗髪ボールの開口部に対して開閉自在に取付けられた被施術者の頭部が挿入可能な開口部が形成されたフードと前記洗髪ボールに設けられた過熱蒸気が供給される蒸気吐出口と、前記過熱蒸気を生成する過熱蒸気生成装置とを具備したことを特徴とする頭髪・頭皮処理機能付き洗髪装置。
【請求項２】
前記洗髪装置本体に取付けられた案内部材によって前記フードが移動可能に形成されていることを特徴とする請求項１に記載の頭髪・頭皮処理機能付き洗髪装置。
【請求項３】
前記洗髪装置本体には脚体を介して椅子が一体的に取付けられていることを特徴とする請求項１に記載の頭髪・頭皮処理機能付き洗髪装置。
【請求項４】
前記蒸気吐出口に供給される過熱蒸気を、電磁弁を制御することで供給・停止できるようにしたことを特徴とする請求項１記載の頭髪・頭皮処理機能付き洗髪装置。
【請求項５】
前記フード内に温度センサが取付けられ、該温度センサよりの信号により前記電磁弁を制御して、前記フード内の温度を一定に保つようにしたことを特徴とする請求項４記載の頭髪・頭皮処理機能付き洗髪装置。
【請求項６】
複数台の椅子と、該各椅子の近傍に設置された洗髪装置本体とから構成し、前記洗髪装置本体における洗髪ボールの開口部に対して開閉自在に取付けられた被施術者の頭部が挿入可能な開口部が形成されたフードと、前記洗髪ボールに設けられた過熱蒸気が供給される蒸気吐出口と、前記過熱蒸気を生成する１つの過熱蒸気生成装置と、該過熱蒸気生成装置から前記各洗髪装置本体に設けられた前記蒸気吐出口に過熱蒸気を供給するための蒸気管とから構成したことを特徴とする頭髪・頭皮処理機能付き洗髪装置。
【請求項７】
前記洗髪装置本体に取付けられた案内部材によって前記フードが移動可能に形成されたことを特徴とする請求項６に記載の頭髪・頭皮処理機能付き洗髪装置。
【請求項８】
前記椅子が前記洗髪装置本体に脚体を介して一体的に取付けられていることを特徴とする請求項６に記載の頭髪・頭皮処理機能付き洗髪装置。
【請求項９】
前記蒸気吐出口に供給される過熱蒸気を、電磁弁を制御することで各洗髪装置本体毎に供給・停止できるようにしたことを特徴とする請求項６記載の頭髪・頭皮処理機能付き洗髪装置。
【請求項１０】
前記フード内に温度センサが取付けられ、該温度センサよりの信号により前記電磁弁を制御して、前記フード内の温度を一定に保つようにしたことを特徴とする請求項９記載の頭髪・頭皮処理機能付き洗髪装置。
【発明の詳細な説明】
【技術分野】
【０００１】
本発明は理美容院等において、パーマ・染毛・トリートメント等を行った後に毛髪の洗髪作業を行うための洗髪装置に、前記パーマネントウェーブや染毛を促進処理する、あるいは、頭皮ケアを行う処理機能を一体に取付け、これにより、施術者の作業効率の向上と、被施術者が移動することなく一か所で全ての施術が行えるようにした頭髪・頭皮処理機能付き洗髪装置に関する。
【背景技術】
【０００２】
従来における洗髪装置、特に、被施術者が椅子に座った状態で背凭れを後方に伏倒し、半ば仰臥させて首を洗髪ボールに支承しながら洗髪を行う、所謂、バックシャンプー用洗髪装置としては、例えば、実公平３−５０８０５号公報等がある。
【０００３】
また、パーマ・染毛・トリートメント等の処理を行う場合には、頭髪に薬剤を塗布して化学反応処理を行う際、該処理効果を高めるために、薬剤を塗布した頭髪をヘアキャップやフード等で覆った空間に、温水から生成した温ミストを送り込んで加温する毛髪処理装置として、例えば、実公平２−２６４０２号公報等がある。
【特許文献１】実公平３−５０８０５号公報
【特許文献２】実公平２−２６４０２号公報
【発明の開示】
【発明が解決しようとする課題】
【０００４】
ところで、理美容院等においてパーマ処理を行う場合の作業手順について説明するに、ロッド巻、パーマ１剤塗布、加温促進装置を使用してのプロセスタイム、テストカールの作業はプロセスブースで行い、洗髪装置によるプレーンリンスはシャンプーブースで行い、洗髪後におけるパーマ２剤塗布、加温促進装置を使用してのプロセスタイム、ロッド外しは再びプロセスブースに戻って行い、洗髪装置によるプレーンリンスはシャンプーブースで行っていた。また、染毛やトリートメントあるいは頭皮ケアの作業手順も、前記したパーマ処理と同様な作業手順であった。
【０００５】
このようにパーマ処理を行う場合には、被施術者はプロセスブースとシャンプーブースの間を行ったり来たりしなければならず、被施術者に不快な思いをさせたり、高齢者や足の悪い被施術者にとっては前記移動が苦痛に思えるといった問題があった。
【０００６】
また、施術者にとっても、移動式の加温促進装置を帆走して被施術者の頭部にセットする作業や、シャンプーブースに誘導して洗髪作業ができるようにセッティングするという作業が多くなり、手間がかかる上に２つのブースを移動するための作業時間が無駄時間になるといった問題もあった。
【０００７】
本発明は前記した問題点を解決せんとするもので、その目的とするところは、頭髪・頭皮処理を洗髪装置に組み込んで、該組み込んだ洗髪装置を施術を行うためのプロセスブース毎に配置し、あるいは、移動して配置することで、被施術者および施術者が施術途中で移動する必要がない頭髪・頭皮処理機能付き洗髪装置を提供せんとするにある。
【課題を解決するための手段】
【０００８】
本発明の頭髪・頭皮処理機能付き洗髪装置は、前記した目的を達成せんとするもので、請求項１の手段は、洗髪装置本体における洗髪ボールの開口部に対して開閉自在に取付けられた被施術者の頭部が挿入可能な開口部が形成されたフードと、前記洗髪ボールに設けられた過熱蒸気が供給される蒸気吐出口と、前記過熱蒸気を生成する過熱蒸気生成装置とを具備したものである。
【０００９】
請求項２の手段は、前記した請求項１の手段において、前記洗髪装置本体に取付けられた案内部材によって前記フードが移動可能に形成されたことを特徴とする。
【００１０】
請求項３の手段は、前記した請求項１の手段において、前記洗髪装置本体には脚体を介して椅子が一体的に取付けられていることを特徴とする。
【００１１】
請求項４の手段は、前記した請求項１の手段において、前記蒸気吐出口に供給される過熱蒸気を、電磁弁を制御することで供給・停止できるようにしたことを特徴とする。
【００１２】
請求項５の手段は、前記した請求項４の手段において、前記フード内に温度センサが取付けられ、該温度センサよりの信号により前記電磁弁を制御して、前記フード内の温度を一定に保つようにしたことを特徴とする。
【００１３】
請求項６の手段は、複数台の椅子と、該椅子の近傍に設置された洗髪装置本体とから構成し、前記洗髪装置本体における洗髪ボールの開口部に対して開閉自在に取付けられた被施術者の頭部が挿入可能な開口部が形成されたフードと、前記洗髪ボールに設けられた過熱蒸気が供給される蒸気吐出口と、前記過熱蒸気を生成する１つの過熱蒸気生成装置と、該過熱蒸気生成装置から前記各洗髪装置本体に設けられた前記蒸気吐出口に過熱蒸気を供給するための蒸気管とから構成したものである。
【００１４】
請求項７の手段は、前記した請求項６の手段において，前記洗髪装置本体に取付けられた案内部材によって前記フードが移動可能に形成されたことを特徴とする。
【００１５】
請求項８の手段は、前記した請求項６の手段において、前記椅子は前記洗髪装置本体に脚体を介して一体的に取付けられていることを特徴とする。
【００１６】
請求項９の手段は、前記した請求項６の手段において、前記蒸気吐出口に供給される過熱蒸気を、電磁弁を制御することで各洗髪装置本体毎に供給・停止できるようにしたことを特徴とする。
【００１７】
請求項１０の手段は、前記した請求項６の手段において、前記フード内に温度センサが取付けられ、該温度センサよりの信号により前記電磁弁を制御して、前記フード内の温度を一定に保つようにしたことを特徴とする。
【発明の効果】
【００１８】
本発明は前記したように、洗髪装置本体にフードを開閉自在に取付け、かつ、過熱蒸気を排出するための蒸気吐出口を洗髪ボールに取付けたことにより、パーマ等の施術と洗髪作業において被施術者および施術者が施術途中で移動する必要がなく、従って、被施術者にとって快適であると共に施術者にとっても作業が行い易く、かつ、施術時間の短縮を図ることができる。
【００１９】
さらに、洗髪装置本体と加温装置とが一体化されているので、別々に配置された従来と比較して省スペース化が図れ、さらにまた、過熱蒸気生成装置にあっては、エンタルピーが大きい過熱蒸気を発生することから、フード内を短時間で過熱蒸気によって高温・高湿状態となって、パーマ等の処理を短時間で終了することができる。
【００２０】
また、蒸気吐出口に供給される過熱蒸気を電磁弁によって制御すると共に、フード内に取付けられている温度センサよりの信号によって前記電磁弁を制御することで、フード内の過熱蒸気による雰囲気を一定に保つことができる。
【００２１】
さらに、１つの過熱蒸気生成装置と、多数の洗髪装置本体とを蒸気管で接続することで、多数の理美容用椅子での施術作業に対して１つの過熱蒸気生成装置で行えるので、コストの低減を図ることができる等の効果を有するものである。
【００２２】
また、前記フードを洗髪装置本体に対して案内部材によって移動可能に構成したので、後方から行うパーマ等の施術においてフードを邪魔にならない位置まで移動することで、施術中においてフードが邪魔になることがない。
【発明を実施するための最良の形態】
【００２３】
洗髪装置におけるシャンプーボールの上部に被施術者の頭部を覆うフードを開閉および移動可能に構成し、かつ、前記フード内に過熱蒸気を吐出させる蒸気吐出口を設けることで、頭髪や頭皮ケアの処理時にはフードを閉じた状態で過熱蒸気を吐出させ、施術あるいは洗髪時にはフードが邪魔にならない位置に移動させることで、全ての作業を一か所において行えるものである。
【実施例１】
【００２４】
過熱蒸気をフード内に供給して毛髪や頭皮ケア処理を行う場合の第１の実施例を図１〜図９と共に説明する。
図１および図２において、１は後に詳述する過熱蒸気生成置３を備えた洗髪装置本体にして、図１は洗髪装置本体１の基台１１には理美容用椅子２が脚体２１を介して一体的に取付けたものを示し、図２は洗髪装置本体１と理美容用椅子２とは分離された脚２４を有するものを示している。なお、２３は背凭れである。
【００２５】
なお、図２に示した洗髪装置本体１と理美容用椅子２とが分離されている場合には、洗髪装置本体１を移動可能に構成し、かつ、床下に配管されている給排水パイプと本体１の給排水パイプとを公知の接続手段（例えば、特開平６−８６７１２号参照）によって接続することで、複数の理美容用椅子２に対して１つの洗髪装置本体１によって前記処理およひ洗髪を行うことも可能である。
【００２６】
次に、洗髪装置本体１の詳細について説明するに、前記ボール１２の上部外周には略半周にわたってガイドレール１２ｂが取付けられ、該ガイドレール１２ｂには摺動自在に案内部材１３がガイドされている。そして、案内部材１３にはリンク部材１４ａを介して合成樹脂部材で構成された略半球状のフード１４がボール１２の開口部に対して開閉自在に取付けられている。なお、フード１４には被施術者の頭部を挿入するための開口部１４ｂが形成されている。
【００２７】
従って、フード１４は前記リンク部材１４ａを介して図１〜図５において反時計方向に回動するとボール１２の開口部から離れて略９０度回転される。そして、ガイドレール１２ｂに沿って案内部材１３を右方向あるいは左方向に移動することで、ロット巻作業、パーマ液の塗布、洗髪等の施術時における被施術者の後方よりの施術においてフード１４が邪魔になることがない。
【００２８】
なお、ボール１２内には洗髪時に使用するシャワーヘッド（図示せず）や水栓摘み１２ｃが取付けられると共に後述する加温促進装置である過熱蒸気生成装置３からの過熱蒸気を吐出するための拡散ノズル３７が取付けられている。また、図４において、１２ｄはボール１２の排水口に接続された排水パイプにして、図示しない床下に配設された排水路に接続されている。１２ｅは水や湯が供給されるホース、１２ｆはボール１２を支え、かつ、前記排水パイプ１２ｄ等を覆う支持体である。
【００２９】
なお、フード１４を洗髪ボール１２の背面から移動させる手段として前記した実施例にあっては、ガイドレール１２ｂと、該ガイドレール１２ｂにガイドされて円周方向に移動する案内部材１３によって洗髪ボール１２の円周面に沿って移動させる場合について説明したが、図示しないリンク機構を使用して移動させるようにしてもよい。
【００３０】
また、フード１４は必ずしも洗髪ボール１２の背面側に取付ける必要はなく、例えば、洗髪ボール１２の左右何れかの所望位置において開閉自在に取付けてもよい。この場合には、フード１４を移動させる必要は必ずしもない。
【００３１】
次に、加温促進装置として過熱蒸気生成装置３を使用した場合の詳細を図６〜図９と共に説明する。
過熱蒸気生成装置３は図６に示すように水道水や温水等を給水するための給水配管３１と、該給水配管３１から分岐され電磁弁３２ａを介して水や温水が供給され、該水や温水中のスケールを取り除くためのイオン交換樹脂等からなる純水機３２と、該純水機３２よりの水や温水を加圧して後述するボイラー３４に供給するための加圧ポンプ等からなる加圧機３３と、該加圧機３３よりの加圧水を電磁弁３４ａを介して供給されるボイラー３４と、該ボイラー３４内に設けられ水や温水を密閉状態で１００℃以上に加熱するヒータ３５と、前記ボイラー３４によって加熱された過熱蒸気が電磁弁３６ａを介して供給される蒸気管３６とより構成されている。
【００３２】
前記蒸気管３６は耐熱樹脂製のパイプ３６ｂと、該パイプ３６ｂの外周を覆う断熱材３６ｃとから構成されており、先端の蒸気吐出口が前記ボール１２から突出しフード１４内に臨んでいる。そして、蒸気管３６の基端側は電磁弁３６ａを介してボイラー３４と接続されているので、ボイラー３４からのフード１４内への過熱蒸気の吐出量を調整できるようになっている。なお、ボイラー３４への水または温水の供給は、該ボイラー３４内に設置した水位センサ（図示せず）が所定の水量以下を検出した時に電磁弁３２ａ，３４ａを開放して補充する構成となっている。
【００３３】
また、蒸気管３６の先端の蒸気吐出口には拡散ノズル３７が取付けられている。この拡散ノズル３７は図７に詳述するように、小径筒部３７ａと大径筒部３７ｂとからなり、大径筒部３７ｂの先端には多数の小孔３７ｂ1 が形成された遮蔽板３７ｂ2 が形成され、かつ、筒部の周面には開口３７ｂ3 が形成されているので、蒸気管３６内よりの過熱蒸気は拡散されフード１４内は所定の温度まで上昇する。
【００３４】
なお、拡散ノズル３７は前記した構造に限定されるものではなく、過熱蒸気をフード内に均一に拡散可能な構造のものであれば、どのような構造のものであってもよい。例えば、蒸気管３６の蒸気吐出口を拡開したような形状でもよいので、拡散ノズル３７は必ずしも必要ではない。
【００３５】
そして、前記小径筒部３７ａと大径筒部３７ｂとの境目には水蒸気が冷却凝縮し水滴として飛散するのを防止することを目的として細かい目の網３７ｃ（図５参照）が取付けられ、かつ、小径筒部３７ａはボール１２の縁から突出している（図５には図示せず）前記パイプ３６ａの先端に嵌合固定されているので、ボイラー３４からの過熱蒸気は網３６ｃを介して拡散ノズル３７に流れ込みフード１４内に拡散される。なお、フード１４内の温度を検出するための温度センサ３８がフード１４の内面所望位置に取付けられている（図４，９参照）。
【００３６】
なお、前記した説明にあっては、給水配管３１より水道水等をボイラー３４内に自動給水する場合について説明したが、ボイラー３４内への給水は手動によって行ってもよい。
【００３７】
次に、前記した洗髪装置本体１に組み込まれている制御装置３７の詳細を図８と共に説明する。なお、前記した説明における符号と同一符号は同一部材としてその説明は省略する。また、洗髪装置本体１の制御装置８には、温度設定や時間設定を行うための操作スイッチと表示部とからなる操作部１２ｇが前記支持体１２ｆの側面側に設置されている。
【００３８】
３８ａは電源にしてリレー３８ｂを介して前記したヒータ３５に接続されている。３８ｃはボイラー３４内に取付けられた温度センサ、３８ｄは前記温度センサ３８ｃよりの信号により前記リレー３８ｂのオン・オフを制御し、また、前記フード１４内に取付けられフード１４内の温度を検出するための温度センサ３９よりの信号により前記電磁弁３６ａの開閉を制御する制御部である。
【００３９】
次に、前記した図８に示した回路ブロック図の動作を図９のフローチャートと共に説明する。
先ず、電源３８ａをオン状態とすると制御部３８ｄはリレー３８ｂに通電してオン状態となしボイラー３４内のヒータ３５に通電を開始して（ステップＳ１）、過熱蒸気の生成を行う（ステップＳ２）。
【００４０】
そして、ボイラー３４の水温が予め設定した温度（例えば、高圧スチーム１３４℃）になったか否かを温度センサ３８ｃよりの信号を受けて制御部３８ｄは監視する（ステップＳ３）。この監視状態において制御部３８ｄが所定の温度に達したと判断すると、施術温度と施術時間の設定を促す表示が行われるので、施術者が被施術者の施術内容に従って操作部１２ｇを操作して設定する（ステップＳ４）。
【００４１】
前記操作が終了して開始操作を行うと（ステップＳ５）、制御部３８ｄは電磁弁３６ａに信号を送り、該電磁弁３６ａを開状態に制御を行う。これにより、過熱蒸気がボイラー３４から蒸気管３６を介してフード１４内に送出される。このフード１４内に送出される過熱蒸気は拡散ノズル３７において拡散されるので、例えば、初期の設定で４０℃に設定したとするならば、フード内の温度が４０℃となるように制御部３８ｄにより、前記電磁弁３８ｃの開時間の制御が行われる。
【００４２】
そして、フード１４内に過熱蒸気が拡散ノズル３７によって拡散されると、温度センサ３９が常時、フード１４内の温度を検出しているので、該温度センサ３９よりの信号が制御部３８ｄに入力される。ここで、制御部３８ｄは初期に設定した温度であるか否かを温度センサ３９よりの信号と比較し、フード１４内の温度が一定（４０℃）とになるように電磁弁３６ａの開閉を制御する（ステップＳ６）。すなわち、フード１４内の温度が低下した場合には、電磁弁３６ａを開放して過熱蒸気をフード１４内に供給して温度を高くするといった制御を行う。
【００４３】
そして、フード１４内に供給される蒸気は、本発明においては過熱蒸気であることから、熱エネルギー（過熱蒸気のエンタルピー）が大きいので、所定の温度４０℃まで加温するのに従来の温ミストや湿り蒸気で加温するよりも時間が短くなり、頭髪と薬剤の化学反応処理の処理時間を短くすることができるので、毛髪に対するダメージを抑えることができ、さらに作業時間の短縮を図ることができる。
【００４４】
前記したように過熱蒸気の吐出量の調整を行って常に一定の温度となるように制御し、次いで、初期に設定した時間が経過したか否かを制御部３８ｄが監視し（ステップＳ７）、前記時間に達したと判断するとフード１４への過熱蒸気の供給を停止する（ステップＳ８）。
【００４５】
次いで、再度、運転を行う指令が行われたか否かを制御部３８ｄは監視し（ステップＳ９）、再運転の指令が無いと判断するとボイラー３４内のヒータ３５への通電を遮断し（ステップＳ１０）、再運転するとの指令が有った場合にはステップＳ４に戻って前記した動作を行うものである。
【００４６】
前記した実施例にあっては、１つの蒸気管３６から過熱蒸気をフード１４内に供給するものについて説明したが、１つの蒸気管３６からの過熱蒸気により、フード１４内の各部をより均等に過熱蒸気を行き渡らせるためには、複数個の蒸気管３６から過熱蒸気を供給した方が効率が良い。
【００４７】
そこで、前記ボイラー３４よりの過熱蒸気をフード１４内に供給する蒸気管３６における蒸気吐出口のフード１４内に入り込んだ部分に、パイプ３６ｂと接続されるフード１４内における垂直方向に固定される垂直パイプと接続し、また、該垂直パイプからフード１４内における水平方向に固定される水平パイプを分岐する。これにより、垂直パイプの先端は頭頂部と襟足の部分に開口され、水平パイプは両側の側頭部に開口されることとなる。
【００４８】
そして、垂直、水平パイプの先端に近い部分には電磁弁を内蔵し、また、垂直・水平パイプの先端に前記した網３７ｃを有する拡散ノズル３７を取付ける。さらに、各拡散ノズル３７より離れた位置に温度センサ３８を固定する。
【００４９】
このような構成とすることで、フード１４内の多数の箇所から過熱蒸気が排出されることで、フード１４内に均等に過熱蒸気を充満させることができると共に、複数の温度センサ３８があり、かつ、それぞれの垂直・水平パイプ内に電磁弁３６ａが装備されているので、各部位毎の温度制御も行えることから、フード１４内をより均一な温度に制御することができる。
【００５０】
なお、前記の実施例にあっては、垂直・水平パイプ毎に電磁弁３６ａを装備したものを示したが、電磁弁３６ａは全てのパイプ毎に装備しなくとも、多数の方向から過熱蒸気が排出されるので、前記した第１の実施例よりもフード１４内を略均一な温度に制御することが可能である。
【００５１】
前記した実施例にあっては前記ボイラー３４よりの過熱蒸気のフード１４への供給・停止を電磁弁３６ａの開・閉によって行う場合について説明したが、電磁弁３６ａに代えて比例電磁弁を用いてもよい。この比例電磁弁を使用した場合には、ノズルによる開度を自由に調整できることから、過熱蒸気のフード１４への供給量を細かく調整でき、よりフード１４内への過熱蒸気の雰囲気を最適な状態に制御することが可能となる。
【００５２】
前記した第１の実施例は加温促進装置として過熱蒸気生成装置３によって過熱蒸気をフード１４内に供給する場合について説明したが、第２の実施例においては、温水から生成した温ミストあるいは水を沸騰させて生成した温ミスト（湿り蒸気）を送り込んで加温する蒸気発生装置４の場合について説明する。なお、前記した第１の実施例と同一符号は同一部分を示し説明は省略する。
【００５３】
蒸気発生装置４はタンク内にヒータが埋め込まれており、該ヒータによって沸騰することで発生する温ミストを送風機で洗髪ボール１２の先端に蒸気吐出口を有する蒸気管４１に供給したり、あるいは、ヒータと超音波振動子とを組み合わせて温ミストを発生させ、該温ミストを送風機で蒸気パイプに供給する。また、前記蒸気管４１の蒸気吐出口には、該ボール１２の内側に補助蒸気パイプ４２が接続されており、かつ、補助蒸気パイプ４２には上方に向かって蒸気吐出口４２ａが多数形成されている。
【００５４】
さらに、前記した蒸気管４１の内部には蒸気排出パイプ４３が貫通されており、フード１４内に送り込まれた温ミストによって暖められた空気を吸気して循環させることにより熱効率を向上させる役目を果たしている。
【００５５】
このように構成された蒸気発生装置４にあっては、フード１４を閉じ、かつ、被施術者の頭部を開口部１４ｂ内に挿入した状態で、蒸気発生装置４において発生し温ミストが蒸気管４１を介して補助蒸気パイプ４２の蒸気吐出口４２ａから排出されることで、フード１４とボール１２によって構成される空間内に温ミストが供給され、パーマ等の施術が行われている毛髪に対して加温処理が行われる。
【実施例２】
【００５６】
前記した第１の実施例は、１台の理美容用椅子２に対して過熱蒸気を発生する過熱蒸気生成装置３や温ミストを発生する蒸気発生装置４が組み込まれた１台の洗髪装置本体１を配置した場合について説明したが、１つの過熱蒸気生成装置３や蒸気発生装置４よりの過熱蒸気や温ミストを多数の洗髪装置本体１に供給することが可能である。そこで、第３の実施例は１つの過熱蒸気生成装置３や蒸気発生装置４から複数の洗髪装置本体１に供給したものである。
【００５７】
以下、図１４、図１５と共に説明する。なお、第１の実施例と同一符号は同一部分を示し説明は省略する。
第３の実施例は、図６に示したと同様な過熱蒸気生成装置３を洗髪装置本体１と分離した位置に１個配置し、蒸気生成装置３のボイラー３４に水を供給するための給水配管３１や洗髪ボール１２に温水を供給するための配管５およびボイラー３４よりの過熱蒸気を電磁弁３６ａを介して供給するための蒸気管３６が例えば床下に敷設されている。また、前記給水配管３１、温水配管５および蒸気管３６は分岐され各洗髪装置本体１内に導入されている。
【００５８】
なお、蒸気管３６から洗髪装置本体１内に導入されている蒸気管３９の途中には過熱蒸気のフード１４内への供給・停止を制御するための電磁弁３９ａが取付けられている。また、この実施例の場合には、ボイラー３４と蒸気突出管３６との間に設けられている電磁弁３６ａは常時開放状態となっている。
【００５９】
このように構成することで、加温処理を行うために洗髪装置本体１に設けられている操作部１２ｇを操作すると、各洗髪装置本体１内の蒸気管３６から分岐された蒸気管３９の電磁弁３９ａが開放され、過熱蒸気発生装置３よりの過熱蒸気がフード１４内に供給され、従って、フード１４の開口部１４ｂから空間内に位置する被施術者の頭髪に対して加温を行い、パーマ等の施術を効率よく行うことが可能となる。
【００６０】
なお、前記した説明にあっては、電磁弁３６ａを常時開放状態とした場合について説明したが、加温処理が１か所のみで行われているような場合には、電磁弁３６ａと前記電磁弁３９ａとを連動して制御するようにしてもよい。また、前記した実施例にあっては、過熱蒸気発生装置３による加温処理の場合について説明したが、前記した蒸気発生装置４による加温処理の場合でも同様にして行えるものである。
【図面の簡単な説明】
【００６１】
【図１】本発明に係る頭髪・頭皮処理機能付き洗髪装置における洗髪装置本体と理美容用椅子が一体化された実施例を示す斜視図である。
【図２】洗髪装置本体と理美容用椅子とが分離された実施例を示す斜視図である。
【図３】図１の平面図である。
【図４】同上のＡ−Ａ線断面図である。
【図５】同上のイ部分の拡大断面図である。
【図６】過熱蒸気生成装置の断面図である。
【図７】拡散ノズルの拡大断面図である。
【図８】回路ブロック図である。
【図９】同上の回路ブロックの動作を説明するためのフローチャートである。
【図１０】過熱蒸気に代えて温ミストにより処理を行う場合の実施例を示す断面図である。
【図１１】同上のロ部分の拡大断面図である。
【図１２】図１０の平面図である。
【図１３】同上のハ部分の拡大断面図である。
【図１４】第２の実施例を示す正面図である。
【図１５】同上の平面図である。
【符号の説明】
【００６２】
１          洗髪装置本体
１２        洗髪ボール
１４        フード
１４ｂ      開口部
２          理美容用椅子
３          過熱蒸気生成装置
３６        蒸気管
【図１】
2005118388.tif 000003
【図２】
2005118388.tif 000004
【図３】
2005118388.tif 000005
【図４】
2005118388.tif 000006
【図５】
2005118388.tif 000007
【図６】
2005118388.tif 000008
【図７】
2005118388.tif 000009
【図８】
2005118388.tif 000010
【図９】
2005118388.tif 000011
【図１０】
2005118388.tif 000012
【図１１】
2005118388.tif 000013
【図１２】
2005118388.tif 000014
【図１３】
2005118388.tif 000015
【図１４】
2005118388.tif 000016
【図１５】
2005118388.tif 000017